(57)【要約】【課題】            硬質樹脂製容器又は鉄製金網状容器やポリ容器等に直接塵芥を投棄すると、非衛生的でありまた容器全体が汚れるために洗浄作業と共に、投棄する塵芥をポリエチレン製等のごみ収納袋に移し替える作業も必要となる。  【解決手段】        浮揚気体収容空間と外皮膜により環状の投入口を、弾性を有する気密材を用いて形成してなる浮揚体と、上端を、前記浮揚体の外皮膜底部に設けられた掛止部に係止し、下端にクリップを装着した複数の掛吊用紐体と、前記浮揚体に係止された掛吊用紐体のクリップに掴持され、所定高さに浮揚される有底の軟質樹脂製ごみ収納袋と、よりなることを特徴とする、浮揚体付きごみ容器。【選択図】          図１
2006298585.tif 000002
【特許請求の範囲】
【請求項１】
浮揚気体収容空間と外皮膜により環状の投入口を、弾性を有する気密材を用いて形成してなる浮揚体と、
上端を、前記浮揚体の外皮膜底部に設けられた掛止部に係止し、下端にクリップを装着した複数の掛吊用紐体と、
前記浮揚体に係止された掛吊用紐体のクリップに掴持され、所定高さに浮揚される有底の軟質樹脂製ごみ収納袋と、
よりなることを特徴とする、浮揚体付きごみ容器。
【請求項２】
前記気密材が、熱可塑性合成樹脂、天然ゴム又はシリコンゴムであることを特徴とする、請求項１記載の浮揚体付きごみ容器。
【請求項３】
前記浮揚気体が、空気比重より小なる比重であるヘリウムガスであることを特徴とする、請求項１及び請求項２記載の浮揚体付きごみ容器。
【請求項４】
前記浮揚体の浮揚気体収容空間が、少なくとも外皮膜底部に係止されるクリップを装着した複数の掛吊用紐体、軟質樹脂製ごみ収納袋、浮揚気体注入弁及び外皮膜等の総重量を超える浮揚力を有する、ヘリウムガス貯留容積であることを特徴とする、請求項１ないし請求項３記載の浮揚体付きごみ容器。
【請求項５】
前記浮揚体の外皮膜底部に装着される複数の掛吊用紐体は、軟質合成樹脂材よりなり、長さ調整が可能であり、かつ各紐体の配設部位は、浮揚体が浮揚時、常に水平状態を保持するように設定されていることを特徴とする、請求項１記載の浮揚体付きごみ容器。
【請求項６】
前記浮揚気体注入弁には、浮揚気体逆止弁が配設されていることを特徴とする、請求項１及び請求項４記載の浮揚体付きごみ容器。
【請求項７】
前記軟質樹脂製ごみ収納袋が、透明、半透明又は不透明なポリエチレン又はポリプロピレン製の袋であることを特徴とする、請求項１記載の浮揚体付きごみ容器。
【請求項８】
前記浮揚体外皮膜の厚さは、少なくとも約１．５ｍｍ〜２．５ｍｍであることを特徴とする、請求項１及び請求項４記載の浮揚体付きごみ容器。
【請求項９】
前記環状に形成される浮揚体の形状が、平面視、円形、楕円形、矩形、方形、三角形、多角形、星形、ハート形であることを特徴とする、請求項１及び請求項２記載の浮揚体付きごみ容器。
【請求項１０】
前記浮揚体の外皮膜正面部、側面部又は平面部には、企業名、キャッチコピー、コマーシャルメッセージ、格言、箴言等の文字、数字、キャラクター、動植物、風景、自然現象等の図柄が表示されていることを特徴とする、請求項１及び請求項９記載の浮揚体付きごみ容器。
【発明の詳細な説明】
【技術分野】
【０００１】
本発明は、浮揚体付きごみ容器に係り、より詳しくは、ヘリウムガス等の浮揚気体を充填した浮揚体により、ポリエチレン又はポリプロピレン製等のごみ収納袋の上半部を空中に吊設、係留可能な浮揚体付きごみ容器に関する。
【背景技術】
【０００２】
各種工場、事務所、商店、飲食店又はイベント会場等において排出される塵芥の収集は、有蓋又は無蓋の硬質樹脂製容器又は鉄製金網状容器等内に、例えば横幅が５０ｃｍ〜８０ｃｍ、縦（高さ）が６０ｃｍ〜１００ｃｍ程度の平袋状に形成されたポリエチレン又はポリプロピレン製等のごみ収納袋を内挿し、その上端縁部を折り返し、樹脂製容器又は鉄製金網状容器等の上端縁に被せるように掛止し、その状態で塵芥を投棄し、その投棄量がごみ収納袋の約７０％〜８０％に達したとき、樹脂製容器等からごみ収納袋を引き上げ、その開口部を収斂して結縛し、所定のゴミ集積所に搬入し、これをごみ収集車等が公共の塵芥処理施設に搬送しているのが一般的である。
【０００３】
また一般家庭においては、ポリバケツ（登録商標名＝積水化学）又はポリ容器と称される、硬質樹脂製容器内に、スーパーマーケット、デパート又は各種商店等で商品購入と共に受け取る包装袋を内挿し、ごみ袋として転用し日常生活で排出する塵芥の収集を行っている。
【発明の開示】
【発明が解決しようとする課題】
【０００４】
上述のように、硬質樹脂製容器又は鉄製金網状容器やポリ容器等に直接塵芥を投棄すると、非衛生的でありまた容器全体が汚れるために洗浄作業と共に、投棄する塵芥をポリエチレン製等のごみ収納袋に移し替える作業も必要となる。
【０００５】
塵芥収集の現状は、ごみ収納袋とこれを装着、保持するための容器即ち二種類の容器を使用するという不経済なことが行われ、またごみ収納袋を硬質樹脂製容器又は鉄製金網状容器やポリ容器内に拡開してから、上端縁部を折り返し、その上端縁に被せるように掛止する作業も煩雑である等の不都合があり、さらに硬質樹脂製容器又は鉄製金網状容器やポリ容器を設置する屋内、屋外のスペースを確保しなければならないという問題点もある。
さらに、硬質樹脂製容器又は鉄製金網状容器やポリ容器であれば、これらを設置した事務所を人が移動する場合、足元を見ることを怠り、所謂「灯台元暗し」の状態で、これらの硬質樹脂製容器又は鉄製金網状容器やポリ容器に躓いてごみをひっくり返す、人がひっくり返るという問題点があった。
【０００６】
そこで、本発明の目的は、ごみ収納袋とこれを装着、保持するための容器即ち二種類の容器を使用することがなく、したがって容器全体の洗浄作業、塵芥をポリエチレン製等のごみ収納袋への移し替え作業、ごみ収納袋の容器内への拡開、上端縁部折り返し、上端縁への掛止作業等が不要となる、従来にない新規な塵芥収集容器、即ちヘリウムガス等の浮揚気体を充填した浮揚体により、ポリエチレン又はポリプロピレン製等のごみ収納袋の上部を空中に吊設、係留し、投棄塵芥を、簡便かつ効率的な収集を可能とする浮揚体付きごみ容器を提供することにある。
【課題を解決するための手段】
【０００７】
上記の課題を解決するための請求項１記載の発明は、浮揚気体収容空間と外皮膜により環状の投入口を、弾性を有する気密材を用いて形成してなる浮揚体と、上端を、前記浮揚体の外皮膜底部に設けた掛止部に係止し、下端にクリップを装着した複数の掛吊用紐体と、前記浮揚体に係止された掛吊用紐体のクリップに掴持され、所定高さに浮揚される有底の軟質樹脂製ごみ収納袋と、（前記浮揚体の一端に装着され、浮揚気体を注入する浮揚気体注入弁と、前記浮揚気体注入弁に装着され、少なくとも浮揚体を浮揚させる浮揚気体の容量を内蔵するボンベと、上端は、前記浮揚気体注入弁と他端側の外皮膜底部又は側面部に係止され、下端には浮揚体係留具を装着した高さ調整具付き係留紐体と、）よりなることを特徴としている。
【０００８】
請求項２の発明は、上記の課題を解決するため請求項１記載の発明において、
前記気密材が、熱可塑性合成樹脂、天然ゴム又はシリコンゴムであることを特徴としている。
【０００９】
請求項３の発明は、上記の課題を解決するため請求項１及び請求項２記載の発明において、前記浮揚気体が、空気比重より小なる比重であるヘリウムガスであることを特徴としている。
【００１０】
請求項４の発明は、上記の課題を解決するため請求項１ないし請求項３記載の発明において、前記浮揚体の浮揚気体収容空間が、少なくとも外皮膜底部に係止されるクリップを装着した複数の掛吊用紐体、軟質樹脂製ごみ収納袋、浮揚気体注入弁及び外皮膜等の総重量を超える浮揚力を有するヘリウムガス貯留容積であることを特徴としている。
【００１１】
請求項５の発明は、上記の課題を解決するため請求項１記載の発明において、
前記浮揚体の外皮膜底部に装着される複数の掛吊用紐体は、軟質合成樹脂材よりなり、長さ調整が可能であり、かつ各紐体の配設部位は、浮揚体が浮揚時、常に水平状態を保持するように設定されていることを特徴としている。
【００１２】
請求項６の発明は、上記の課題を解決するため請求項１項及び請求項４記載の発明において、前記浮揚気体注入弁には、浮揚気体逆止弁が配設されていることを特徴としている。
【００１３】
請求項７の発明は、上記の課題を解決するため請求項１記載の発明において、
前記軟質樹脂製ごみ収納袋が、透明、半透明又は不透明なポリエチレン又はポリプロピレン製の袋であることを特徴としている。
【００１４】
請求項８の発明は、上記の課題を解決するため請求項１項及び請求項４記載の発明において、前記浮揚体外皮膜の厚さは、少なくとも約１．５ｍｍ〜２．５ｍｍであることを特徴としている。
【００１５】
請求項９の発明は、上記の課題を解決するため請求項１項及び請求項２記載の発明において、前記環状に形成される浮揚体の形状が、平面視、円形、楕円形、矩形、方形、三角形、多角形、星形、ハート形であることを特徴としている。
【００１６】
請求項１０の発明は、上記の課題を解決するため請求項１項及び請求項９記載の発明において、前記浮揚体の外皮膜正面部、側面部又は平面部には、企業名、キャッチコピー、コマーシャルメッセージ、格言、箴言等の文字、数字、キャラクター、動植物、風景、自然現象等の図柄が表示されていることを特徴としている。
【発明の効果】
【００１７】
本発明の構成とすることにより、従来技術の問題点、本発明が解決すべき課題等を全て解消することができた。
本発明に係る、浮揚体付きごみ容器は以下の効果を奏する。即ち請求項１の発明によれば、浮揚体付きごみ容器は、弾性を有する気密材を用いて形成される浮揚気体収容空間と外皮膜よりなる浮揚体、浮揚体の外皮膜底部に係止される複数の掛吊用紐体、該紐体のクリップに掴持され、所定高さに浮揚される有底の軟質樹脂製ごみ収納袋、浮揚気体を注入する浮揚気体注入弁、浮揚気体を内蔵するボンベ及び浮揚体係留具を装着した高さ調整具付き係留紐体とを、主な構成部材とし、各部材は簡単な構造であり、また浮揚体を除く他部材、例えば外皮膜底部に係止される複数の掛吊用紐体、クリップ、ごみ収納袋、浮揚気体注入弁、ボンベ、浮揚体係留具及び高さ調整具付き係留紐体等は、市販製品を活用することができるので製作が容易であるという効果を有し、さらに従来の塵芥収集容器のように、硬質樹脂製容器、鉄製金網状容器又はポリバケツ、ポリ容器等を使用することがないので、上述した容器全体の洗浄作業、塵芥をポリエチレン製等のごみ収納袋への移し替え作業、ごみ収納袋の容器内に拡開、上端縁部折り返し、上端縁への掛止作業等が不要となり、従来にない新規な塵芥収集容器、即ちヘリウムガス等の浮揚気体を充填した浮揚体により、ポリエチレン又はポリプロピレン製のごみ収納袋の上部を空中に吊設、係留可能な浮揚体付きごみ容器を提供することができ、硬質樹脂製容器、鉄製金網状容器又はポリ容器等の設置スペースが不要で、特に各種工場、事務所、商店、飲食店等における作業面積の有効活用が可能となる。
【００１８】
請求項２の発明によれば、気密材は、熱可塑性合成樹脂例えば、ポリエチレン、ポリプロピレン、塩化ビニール、スチロール樹脂等の他、天然ゴム又はシリコンゴムを素材とするので、一体成型による大量生産が可能となるため製作コストが安価となる。
【００１９】
請求項３の発明によれば、浮揚気体として、空気比重より小なる比重であるヘリウムガスを使用するので、浮揚体からヘリウムガスが漏洩しても安全性に問題がない。
【００２０】
請求項４の発明によれば、浮揚体の浮揚気体収容空間が、少なくとも外皮膜底部に係止されるクリップを装着した複数の掛吊用紐体、軟質樹脂製ごみ収納袋、浮揚気体注入弁、高さ調整具と紐体及び外皮膜等の総重量を超える浮揚力を有するヘリウムガス貯留容積としているので、浮揚体は、常時空中に滞空し、ごみ収納袋の上部を吊設しているので、塵芥の投入が容易である。
【００２１】
請求項５の発明によれば、浮揚体の外皮膜底部に装着される複数の掛吊用紐体は、軟質合成樹脂材よりなり、長さ調整が可能であり、かつ各紐体の配設部位は、浮揚体が浮揚時、常に水平状態を保持するように設定されており、浮揚体とともに洗浄することが容易なので、常に衛生的であり、また塵芥の投入口と高さも随時変更することができ、浮揚体の開口部をバスケットボールのゴールネットに見立て、塵芥を丸めゴールネットにシュートするようにゲーム感覚と趣味感を充足させることもできる。
【００２２】
請求項６の発明によれば、浮揚気体注入弁には、浮揚気体逆止弁が配設されているので、ヘリウムガスの漏洩を防止できる。
【００２３】
請求項７の発明によれば、軟質樹脂製ごみ収納袋が、透明、半透明又は不透明なポリエチレン又はポリプロピレン製の袋であるので、大型のごみ収納袋は安価に購入でき、一般家庭においては、スーパーマーケット、デパート又は各種商店等で商品購入と共に受け取る包装袋をごみ袋として転用することができ、資源の有効活用となり、きわめて経済的である。
【００２４】
請求項８の発明によれば、浮揚体外皮膜の厚さは、少なくとも約１．５ｍｍ〜２．５ｍｍとしているので、塵芥物の尖鋭部が接触したり、不測の衝撃を受けても簡単に破れることがない。
【００２５】
請求項９の発明によれば、環状に形成される浮揚体の形状が、平面視、円形、楕円形、矩形、方形、三角形、多角形、星形、ハート形のなかから、屋内、屋外の設置場所に適合する形状の浮揚体を選択することができる。
【００２６】
請求項１０の発明によれば、浮揚体の外皮膜正面部、側面部又は平面部には、企業名、キャッチコピー、コマーシャルメッセージ、格言、箴言等の文字、数字、キャラクター、動植物、風景、自然現象等の図柄が表示されているので、屋内においてこれを使用すれば、ユニークなディスプレイとして楽しむことができ、また屋外にこれを設置すれば、広告媒体としての機能を発揮する効果も期待される。
【発明を実施するための最良の形態】
【００２７】
以下、本発明に係る、浮揚体付きごみ容器の好適な実施形態について、添付の図面に基づいて詳細に説明する。図１は、本発明に係る、浮揚体付きごみ容器ＧＢの構成部材を説明する分解斜視図、図２は、同組み立て使用状態を示す一部切欠正面図、図３は、図２におけるＡ部の拡大断面図、図４は、他の使用状態を説明する一部切欠正面図、図５及び図６は、浮揚体の他の形状を示す平面図である。
【００２８】
本発明に係る、浮揚体付きごみ容器ＧＢを構成する主部材は、図１ないし図４に示すように、平面視、環状円形の浮揚体１、掛吊用紐体２、ごみ収納袋３、浮揚気体注入弁４、ボンベ５、高さ調整具６付き係留紐体７、浮揚体係留具８等よりなっている。
【００２９】
浮揚体１は、弾性を有する気密材例えば、ポリプロピレン、ポリエチレン、塩化ビニール、スチロール樹脂、ＡＳ樹脂、ＡＢＳ樹脂、アクリル樹脂及びポリカーボネート等の熱可塑性樹脂、天然ゴム又はシリコンゴム等のなかから選択され、押出成型（エクスト・ルージョン）等公知の成型法により製作されるもので、浮揚気体のヘリウムガス１ａを収容する空間１ｂと外皮膜１ｃとにより環状円形の塵芥投入口１ｄが形成されている。ヘリウムガス収容空間１ｂは、少なくとも外皮膜１ｃの底部に掛止される掛吊用紐体２、ごみ収納袋３、浮揚気体注入弁４、高さ調整具６と係留紐体７及び外皮膜１ｃ等の総重量を超える浮揚力を貯留する容積とされ、該収容空間１ｂを形成する外皮膜１ｃの厚さは、少なくとも約１．５ｍｍ〜２．５ｍｍとし、その底部には係止孔１ｅを設けたＵ字状の掛止部１ｆが形成され、該掛止部１ｆと対向部位に係止孔１ｇを設けたＵ字状の掛止部１ｈが形成され、係止孔１ｉを設けたＵ字状の掛止部１ｊの対向部位には係止孔１ｋを設けたＵ字状の掛止部１ｍが形成され、同様に係止孔１ｎを設けたＵ字状の掛止部１ｐの対向部位には係止孔１ｑを設けたＵ字状の掛止部１ｒが形成されている。これは浮揚体１の収容空間１ｂ内にヘリウムガス１ａをボンベ５から充填し、浮揚体１が浮揚したとき、常時、水平姿勢状態を保持するためであり、また浮揚体１の係留手段として、外皮膜底部又は側面部に係止用ループ１ｓが装着されている。１ｔは浮揚体１の正面部、側面部又は平面部等に印刷、表示されたキャッチコピーである。
【００３０】
掛吊用紐体２は、柔軟性のある樹脂材、例えば塩化ビニール等よりなり、少なくとも外皮膜１ｃの底部に設けられた係止孔１ｅ〜１ｑに挿通可能な形状と直径とされ、上端２ａは係止孔１ｅ〜１ｑに挿通して結縛され、下端にはごみ収納袋３を掴持、吊設するためのクリップ２ｂが装着されている。なお上端２ａには、フック（不図示）を装着してもよい。
【００３１】
ごみ収納袋３は、透明、半透明又は不透明な軟質樹脂材例えば、ポリエチレン又はポリプロピレン製で市販されている各種サイズの平袋又はスーパーマーケット、デパート又は各種商店等で商品購入と共に受け取る包装用袋を利用することもできる。
【００３２】
浮揚気体注入弁４のガス注入部４ａは、図３に示すように、外皮膜１ｃの周縁上面部の一端に装着され、注入口４ｂの上部には逆止弁４ｃが配設され、該逆止弁４ｃは、スプリング４ｄによりボンベ５の挿入口方向に付勢されている。ボンベ５内には圧縮されたヘリウムガス１ａが貯留されており、浮揚体１の浮揚力を調整しながら適宜、収容空間１ｂに注入される。
【００３３】
高さ調整具６は、硬質樹脂材例えば、アクリル樹脂等からなる長楕円形の薄板で、少なくとも係留紐体７を挿通可能な貫通孔６ａ、６ｂ、６ｃが穿設されており、係留紐体７の長さ調整（浮揚体１の吊設位置（高さ）調整）は、高さ調整具６の貫通孔６ａ、６ｂ、６ｃを介して行われる。
【００３４】
浮揚体係留具８は、硬質樹脂材又は鉄製からなる円形状の重錘で、浮揚体１の係留を目的として使用されるもので、その上面中心部には挿通孔８ａを穿設した係止部８ｂが立設されている。  
【００３５】
つぎに本発明に係る、浮揚体付きごみ容器ＧＢの組み立てと使用態様について説明する。まず係留紐体７の上方部７ａを外皮膜１ｃの側面部に装着した係止用ループ１ｓに緊縛し、下端部７ｂを浮揚体係留具８の挿通孔８ａに挿通し、高さ調整具６の貫通孔６ａ、６ｂ、６ｃに順次、挿通させて仮止めしておき、つぎに掛吊用紐体２、２…の上端２ａ…をそれぞれの係止孔１ｅ〜１ｑに挿通し、クリップ２ｂ…までの長さがほぼ同じになるように結縛し、各クリップ２ｂ…を介してごみ収納袋３の開口周縁部３ａを掴持する。
【００３６】
続いて、ヘリウムガス１ａを貯留したボンベ５の先端５ａを浮揚気体注入弁４に挿着し、該先端５ａを逆止弁４ｃに抗して圧入すれば、ヘリウムガス１ａは注気孔４ｄを経て浮揚体１の収容空間１ｂに注入され、外皮膜１ｃは膨張して環状の浮揚体１を形成すると共に、外皮膜１ｃの底部に係止された各掛吊用紐体２、２…と係留紐体７を吊り上げながら徐々にごみ収納袋３は空中に浮揚する。ごみ収納袋３が所望の高さに吊設されたとき、ボンベ５を浮揚気体注入弁４から脱離させて、ヘリウムガス１ａの供給を停止し、係留紐体７の長さ（高さ）は高さ調整具６の貫通孔６ａ、６ｂ、６ｃを介して調整し、浮揚体１及びごみ収納袋３の浮揚と係留作業は終了する。
【００３７】
図４は掛吊用紐体２、２…と掛止部１ｆ〜１ｒの長さを短くした状態を示し、
ごみ収納袋３に投棄する塵芥Ｄは、図２及び図４の矢印で示すように、浮揚体１の投入口１ｄ又はごみ収納袋３の開口部３ａから投入され、投入された塵芥Ｄが、ごみ収納袋３の約７０％〜８０％になったら、各クリップ２ｂ…をごみ収納袋３から脱離し、ごみ収納袋３の上方を収斂して結縛し、所定のゴミ集積所等に搬入する。
【００３８】
本発明に係る、浮揚体付きごみ容器ＧＢに使用される浮揚体１０、２０の形態は、図５及び図６に示す平面視、長楕円形又は矩形の他、図示しないが方形、三角形、多角形、星形、ハート形等のなかから、屋内、屋外の設置場所に適合する形状の浮揚体を選択することができ、図５に示すように、浮揚体１０の底部に設けられる掛止部１０ａと１０ｂ、１０ｃと１０ｄ、１０ｅと１０ｆ及び図６に示す浮揚体２０の底部に設けられる掛止部２０ａと２０ｂ、２０ｃと２０ｄ、２０ｅと２０ｆは、浮揚体１０又は２０は浮揚したとき、水平姿勢を保持するために互いに対向部位に配設される。  
【図面の簡単な説明】
【００３９】
【図１】は本発明に係る、浮揚体付きごみ容器ＧＢの主な構成部材を説明する分解斜視図である。
【図２】は同、組み立て使用状態を示す一部切欠正面図である。
【図３】は図２におけるＡ部の拡大断面図である。
【図４】は他の実施形態を説明する一部切欠正面図である。
【図５】は浮揚体の他の形状を示す平面図である。
【図６】は浮揚体の他の形状を示す平面図である。
【符号の説明】
【００４０】
ＧＢ                                  浮揚体付きごみ容器
１                                    浮揚体
２                                    掛吊用紐体
３                                    ごみ収納袋
４                                    浮揚気体注入弁
５                                    ボンベ
６                                    高さ調整具
７                                    係留紐体
８                                    浮揚体係留具
１ａ                                  ヘリウムガス
１ｂ                                  収容空間
１ｃ                                  外皮膜
１ｄ                                  投入口
１ｅ、１ｇ、１ｉ、１ｋ、１ｎ、１ｑ    係止孔
１ｆ、１ｈ、１ｊ、１ｍ、１ｐ、１ｒ    掛止部
１ｓ                                  係止用ループ
１ｔ                                  キャッチコピー
４ｃ                                  逆止弁
６ａ、６ｂ、６ｃ                      貫通孔
【図１】
2006298585.tif 000003
【図２】
2006298585.tif 000004
【図３】
2006298585.tif 000005
【図４】
2006298585.tif 000006
【図５】
2006298585.tif 000007
【図６】
2006298585.tif 000008
【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
浮揚気体収容空間と外皮膜により環状の投入口を、弾性を有する気密材を用いて形成してなる浮揚体と、
上端を、前記浮揚体の外皮膜底部に設けられた掛止部に係止し、下端にクリップを装着した複数の掛吊用紐体と、
前記浮揚体に係止された掛吊用紐体のクリップに掴持され、ごみ収納袋の上部を空中に吊設される有底の軟質樹脂製ごみ収納袋と、
浮揚体の係留を目的として使用される浮揚体係留具を装着した係留紐体
よりなることを特徴とする、浮揚体付きごみ容器。
【請求項２】
前記気密材が、熱可塑性合成樹脂、天然ゴム又はシリコンゴムであることを特徴とする、請求項１記載の浮揚体付きごみ容器。
【請求項３】
前記浮揚気体が、空気比重より小なる比重であるヘリウムガスであることを特徴とする、請求項１及び請求項２記載の浮揚体付きごみ容器。
【請求項４】
前記浮揚体の浮揚気体収容空間が、少なくとも外皮膜底部に係止されるクリップを装着した複数の掛吊用紐体、軟質樹脂製ごみ収納袋、浮揚気体注入弁及び外皮膜等の総重量を超える浮揚力を有する、ヘリウムガス貯留容積であることを特徴とする、請求項１ないし請求項３記載の浮揚体付きごみ容器。
【請求項５】
前記浮揚体の外皮膜底部に装着される複数の掛吊用紐体は、軟質合成樹脂材よりなり、長さ調整が可能であり、かつ各紐体の配設部位は、浮揚体が浮揚時、常に水平状態を保持するように設定されていることを特徴とする、請求項１記載の浮揚体付きごみ容器。
【請求項６】
前記浮揚気体注入弁には、浮揚気体逆止弁が配設されていることを特徴とする、請求項１及び請求項４記載の浮揚体付きごみ容器。
【請求項７】
前記軟質樹脂製ごみ収納袋が、透明、半透明又は不透明なポリエチレン又はポリプロピレン製の袋であることを特徴とする、請求項１記載の浮揚体付きごみ容器。
【請求項８】
前記浮揚体外皮膜の厚さは、少なくとも約１．５ｍｍ〜２．５ｍｍであることを特徴とする、請求項１及び請求項４記載の浮揚体付きごみ容器。
【請求項９】
前記環状に形成される浮揚体の形状が、平面視、円形、楕円形、矩形、方形、三角形、多角形、星形、ハート形であることを特徴とする、請求項１及び請求項２記載の浮揚体付きごみ容器。
【請求項１０】
前記浮揚体の外皮膜正面部、側面部又は平面部には、企業名、キャッチコピー、コマーシャルメッセージ、格言、箴言等の文字、数字、キャラクター、動植物、風景、自然現象等の図柄が表示されていることを特徴とする、請求項１及び請求項９記載の浮揚体付きごみ容器。
【手続補正２】
【補正対象書類名】明細書
【補正対象項目名】全文
【補正方法】変更
【補正の内容】
【発明の詳細な説明】
【技術分野】
【０００１】
本発明は、浮揚体付きごみ容器に係り、より詳しくは、ヘリウムガス等の浮揚気体を充填した浮揚体により、ポリエチレン又はポリプロピレン製等のごみ収納袋の上半部を空中に吊設、係留可能な浮揚体付きごみ容器に関する。
【背景技術】
【０００２】
各種工場、事務所、商店、飲食店又はイベント会場等において排出される塵芥の収集は、有蓋又は無蓋の硬質樹脂製容器又は鉄製金網状容器等内に、例えば横幅が５０ｃｍ〜８０ｃｍ、縦（高さ）が６０ｃｍ〜１００ｃｍ程度の平袋状に形成されたポリエチレン又はポリプロピレン製等のごみ収納袋を内挿し、その上端縁部を折り返し、樹脂製容器又は鉄製金網状容器等の上端縁に被せるように掛止し、その状態で塵芥を投棄し、その投棄量がごみ収納袋の約７０％〜８０％に達したとき、樹脂製容器等からごみ収納袋を引き上げ、その開口部を収斂して結縛し、所定のゴミ集積所に搬入し、これをごみ収集車等が公共の塵芥処理施設に搬送しているのが一般的である。
【０００３】
また一般家庭においては、ポリバケツ（登録商標名＝積水化学）又はポリ容器と称される、硬質樹脂製容器内に、スーパーマーケット、デパート又は各種商店等で商品購入と共に受け取る包装袋を内挿し、ごみ袋として転用し日常生活で排出する塵芥の収集を行っている。
【発明の開示】
【発明が解決しようとする課題】
【０００４】
上述のように、硬質樹脂製容器又は鉄製金網状容器やポリ容器等に直接塵芥を投棄すると、非衛生的でありまた容器全体が汚れるために洗浄作業と共に、投棄する塵芥をポリエチレン製等のごみ収納袋に移し替える作業も必要となる。
【０００５】
塵芥収集の現状は、ごみ収納袋とこれを装着、保持するための容器即ち二種類の容器を使用するという不経済なことが行われ、またごみ収納袋を硬質樹脂製容器又は鉄製金網状容器やポリ容器内に拡開してから、上端縁部を折り返し、その上端縁に被せるように掛止する作業も煩雑である等の不都合があり、さらに硬質樹脂製容器又は鉄製金網状容器やポリ容器を設置する屋内、屋外のスペースを確保しなければならないという問題点もある。
さらに、硬質樹脂製容器又は鉄製金網状容器やポリ容器であれば、これらを設置した事務所を人が移動する場合、足元を見ることを怠り、所謂「灯台元暗し」の状態で、これらの硬質樹脂製容器又は鉄製金網状容器やポリ容器に躓いてごみをひっくり返す、人がひっくり返るという問題点があった。
【０００６】
そこで、本発明の目的は、ごみ収納袋とこれを装着、保持するための容器即ち二種類の容器を使用することがなく、したがって容器全体の洗浄作業、塵芥をポリエチレン製等のごみ収納袋への移し替え作業、ごみ収納袋の容器内への拡開、上端縁部折り返し、上端縁への掛止作業等が不要となる、従来にない新規な塵芥収集容器、即ちヘリウムガス等の浮揚気体を充填した浮揚体により、ポリエチレン又はポリプロピレン製等のごみ収納袋の上部を空中に吊設、係留し、投棄塵芥を、簡便かつ効率的な収集を可能とする浮揚体付きごみ容器を提供することにある。
【課題を解決するための手段】
【０００７】
上記の課題を解決するための請求項１記載の発明は、浮揚気体収容空間と外皮膜により環状の投入口を、弾性を有する気密材を用いて形成してなる浮揚体と、上端を、前記浮揚体の外皮膜底部に設けた掛止部に係止し、下端にクリップを装着した複数の掛吊用紐体と、前記浮揚体に係止された掛吊用紐体のクリップに掴持され、所定高さに浮揚される有底の軟質樹脂製ごみ収納袋と、（前記浮揚体の一端に装着され、浮揚気体を注入する浮揚気体注入弁と、前記浮揚気体注入弁に装着され、少なくとも浮揚体を浮揚させる浮揚気体の容量を内蔵するボンベと、上端は、前記浮揚気体注入弁と他端側の外皮膜底部又は側面部に係止され、下端には浮揚体係留具を装着した高さ調整具付き係留紐体と、）よりなることを特徴としている。
すなわち、請求項１の発明は、
浮揚気体収容空間と外皮膜により環状の投入口を、弾性を有する気密材を用いて形成してなる浮揚体と、
上端を、前記浮揚体の外皮膜底部に設けられた掛止部に係止し、下端にクリップを装着した複数の掛吊用紐体と、
前記浮揚体に係止された掛吊用紐体のクリップに掴持され、ごみ収納袋の上部を空中に吊設される有底の軟質樹脂製ごみ収納袋と、
浮揚体の係留を目的として使用される浮揚体係留具を装着した係留紐体
よりなることを特徴とする、浮揚体付きごみ容器。
である。
【０００８】
請求項２の発明は、上記の課題を解決するため請求項１記載の発明において、
前記気密材が、熱可塑性合成樹脂、天然ゴム又はシリコンゴムであることを特徴としている。
【０００９】
請求項３の発明は、上記の課題を解決するため請求項１及び請求項２記載の発明において、前記浮揚気体が、空気比重より小なる比重であるヘリウムガスであることを特徴としている。
【００１０】
請求項４の発明は、上記の課題を解決するため請求項１ないし請求項３記載の発明において、前記浮揚体の浮揚気体収容空間が、少なくとも外皮膜底部に係止されるクリップを装着した複数の掛吊用紐体、軟質樹脂製ごみ収納袋、浮揚気体注入弁及び外皮膜等の総重量を超える浮揚力を有するヘリウムガス貯留容積であることを特徴としている。
【００１１】
請求項５の発明は、上記の課題を解決するため請求項１記載の発明において、
前記浮揚体の外皮膜底部に装着される複数の掛吊用紐体は、軟質合成樹脂材よりなり、長さ調整が可能であり、かつ各紐体の配設部位は、浮揚体が浮揚時、常に水平状態を保持するように設定されていることを特徴としている。
【００１２】
請求項６の発明は、上記の課題を解決するため請求項１項及び請求項４記載の発明において、前記浮揚気体注入弁には、浮揚気体逆止弁が配設されていることを特徴としている。
【００１３】
請求項７の発明は、上記の課題を解決するため請求項１記載の発明において、
前記軟質樹脂製ごみ収納袋が、透明、半透明又は不透明なポリエチレン又はポリプロピレン製の袋であることを特徴としている。
【００１４】
請求項８の発明は、上記の課題を解決するため請求項１項及び請求項４記載の発明において、前記浮揚体外皮膜の厚さは、少なくとも約１．５ｍｍ〜２．５ｍｍであることを特徴としている。
【００１５】
請求項９の発明は、上記の課題を解決するため請求項１項及び請求項２記載の発明において、前記環状に形成される浮揚体の形状が、平面視、円形、楕円形、矩形、方形、三角形、多角形、星形、ハート形であることを特徴としている。
【００１６】
請求項１０の発明は、上記の課題を解決するため請求項１項及び請求項９記載の発明において、前記浮揚体の外皮膜正面部、側面部又は平面部には、企業名、キャッチコピー、コマーシャルメッセージ、格言、箴言等の文字、数字、キャラクター、動植物、風景、自然現象等の図柄が表示されていることを特徴としている。
【発明の効果】
【００１７】
本発明の構成とすることにより、従来技術の問題点、本発明が解決すべき課題等を全て解消することができた。
本発明に係る、浮揚体付きごみ容器は以下の効果を奏する。即ち請求項１の発明によれば、浮揚体付きごみ容器は、弾性を有する気密材を用いて形成される浮揚気体収容空間と外皮膜よりなる浮揚体、浮揚体の外皮膜底部に係止される複数の掛吊用紐体、該紐体のクリップに掴持され、所定高さに浮揚される有底の軟質樹脂製ごみ収納袋、浮揚気体を注入する浮揚気体注入弁、浮揚気体を内蔵するボンベ及び浮揚体係留具を装着した高さ調整具付き係留紐体とを、主な構成部材とし、各部材は簡単な構造であり、また浮揚体を除く他部材、例えば外皮膜底部に係止される複数の掛吊用紐体、クリップ、ごみ収納袋、浮揚気体注入弁、ボンベ、浮揚体係留具及び高さ調整具付き係留紐体等は、市販製品を活用することができるので製作が容易であるという効果を有し、さらに従来の塵芥収集容器のように、硬質樹脂製容器、鉄製金網状容器又はポリバケツ、ポリ容器等を使用することがないので、上述した容器全体の洗浄作業、塵芥をポリエチレン製等のごみ収納袋への移し替え作業、ごみ収納袋の容器内に拡開、上端縁部折り返し、上端縁への掛止作業等が不要となり、従来にない新規な塵芥収集容器、即ちヘリウムガス等の浮揚気体を充填した浮揚体により、ポリエチレン又はポリプロピレン製のごみ収納袋の上部を空中に吊設、係留可能な浮揚体付きごみ容器を提供することができ、硬質樹脂製容器、鉄製金網状容器又はポリ容器等の設置スペースが不要で、特に各種工場、事務所、商店、飲食店等における作業面積の有効活用が可能となる。
【００１８】
請求項２の発明によれば、気密材は、熱可塑性合成樹脂例えば、ポリエチレン、ポリプロピレン、塩化ビニール、スチロール樹脂等の他、天然ゴム又はシリコンゴムを素材とするので、一体成型による大量生産が可能となるため製作コストが安価となる。
【００１９】
請求項３の発明によれば、浮揚気体として、空気比重より小なる比重であるヘリウムガスを使用するので、浮揚体からヘリウムガスが漏洩しても安全性に問題がない。
【００２０】
請求項４の発明によれば、浮揚体の浮揚気体収容空間が、少なくとも外皮膜底部に係止されるクリップを装着した複数の掛吊用紐体、軟質樹脂製ごみ収納袋、浮揚気体注入弁、高さ調整具と紐体及び外皮膜等の総重量を超える浮揚力を有するヘリウムガス貯留容積としているので、浮揚体は、常時空中に滞空し、ごみ収納袋の上部を吊設しているので、塵芥の投入が容易である。
【００２１】
請求項５の発明によれば、浮揚体の外皮膜底部に装着される複数の掛吊用紐体は、軟質合成樹脂材よりなり、長さ調整が可能であり、かつ各紐体の配設部位は、浮揚体が浮揚時、常に水平状態を保持するように設定されており、浮揚体とともに洗浄することが容易なので、常に衛生的であり、また塵芥の投入口と高さも随時変更することができ、浮揚体の開口部をバスケットボールのゴールネットに見立て、塵芥を丸めゴールネットにシュートするようにゲーム感覚と趣味感を充足させることもできる。
【００２２】
請求項６の発明によれば、浮揚気体注入弁には、浮揚気体逆止弁が配設されているので、ヘリウムガスの漏洩を防止できる。
【００２３】
請求項７の発明によれば、軟質樹脂製ごみ収納袋が、透明、半透明又は不透明なポリエチレン又はポリプロピレン製の袋であるので、大型のごみ収納袋は安価に購入でき、一般家庭においては、スーパーマーケット、デパート又は各種商店等で商品購入と共に受け取る包装袋をごみ袋として転用することができ、資源の有効活用となり、きわめて経済的である。
【００２４】
請求項８の発明によれば、浮揚体外皮膜の厚さは、少なくとも約１．５ｍｍ〜２．５ｍｍとしているので、塵芥物の尖鋭部が接触したり、不測の衝撃を受けても簡単に破れることがない。
【００２５】
請求項９の発明によれば、環状に形成される浮揚体の形状が、平面視、円形、楕円形、矩形、方形、三角形、多角形、星形、ハート形のなかから、屋内、屋外の設置場所に適合する形状の浮揚体を選択することができる。
【００２６】
請求項１０の発明によれば、浮揚体の外皮膜正面部、側面部又は平面部には、企業名、キャッチコピー、コマーシャルメッセージ、格言、箴言等の文字、数字、キャラクター、動植物、風景、自然現象等の図柄が表示されているので、屋内においてこれを使用すれば、ユニークなディスプレイとして楽しむことができ、また屋外にこれを設置すれば、広告媒体としての機能を発揮する効果も期待される。
【発明を実施するための最良の形態】
【００２７】
以下、本発明に係る、浮揚体付きごみ容器の好適な実施形態について、添付の図面に基づいて詳細に説明する。図１は、本発明に係る、浮揚体付きごみ容器ＧＢの構成部材を説明する分解斜視図、図２は、同組み立て使用状態を示す一部切欠正面図、図３は、図２におけるＡ部の拡大断面図、図４は、他の使用状態を説明する一部切欠正面図、図５及び図６は、浮揚体の他の形状を示す平面図である。
【００２８】
本発明に係る、浮揚体付きごみ容器ＧＢを構成する主部材は、図１ないし図４に示すように、平面視、環状円形の浮揚体１、掛吊用紐体２、ごみ収納袋３、浮揚気体注入弁４、ボンベ５、高さ調整具６付き係留紐体７、浮揚体係留具８等よりなっている。
【００２９】
浮揚体１は、弾性を有する気密材例えば、ポリプロピレン、ポリエチレン、塩化ビニール、スチロール樹脂、ＡＳ樹脂、ＡＢＳ樹脂、アクリル樹脂及びポリカーボネート等の熱可塑性樹脂、天然ゴム又はシリコンゴム等のなかから選択され、押出成型（エクスト・ルージョン）等公知の成型法により製作されるもので、浮揚気体のヘリウムガス１ａを収容する空間１ｂと外皮膜１ｃとにより環状円形の塵芥投入口１ｄが形成されている。ヘリウムガス収容空間１ｂは、少なくとも外皮膜１ｃの底部に掛止される掛吊用紐体２、ごみ収納袋３、浮揚気体注入弁４、高さ調整具６と係留紐体７及び外皮膜１ｃ等の総重量を超える浮揚力を貯留する容積とされ、該収容空間１ｂを形成する外皮膜１ｃの厚さは、少なくとも約１．５ｍｍ〜２．５ｍｍとし、その底部には係止孔１ｅを設けたＵ字状の掛止部１ｆが形成され、該掛止部１ｆと対向部位に係止孔１ｇを設けたＵ字状の掛止部１ｈが形成され、係止孔１ｉを設けたＵ字状の掛止部１ｊの対向部位には係止孔１ｋを設けたＵ字状の掛止部１ｍが形成され、同様に係止孔１ｎを設けたＵ字状の掛止部１ｐの対向部位には係止孔１ｑを設けたＵ字状の掛止部１ｒが形成されている。これは浮揚体１の収容空間１ｂ内にヘリウムガス１ａをボンベ５から充填し、浮揚体１が浮揚したとき、常時、水平姿勢状態を保持するためであり、また浮揚体１の係留手段として、外皮膜底部又は側面部に係止用ループ１ｓが装着されている。１ｔは浮揚体１の正面部、側面部又は平面部等に印刷、表示されたキャッチコピーである。
【００３０】
掛吊用紐体２は、柔軟性のある樹脂材、例えば塩化ビニール等よりなり、少なくとも外皮膜１ｃの底部に設けられた係止孔１ｅ〜１ｑに挿通可能な形状と直径とされ、上端２ａは係止孔１ｅ〜１ｑに挿通して結縛され、下端にはごみ収納袋３を掴持、吊設するためのクリップ２ｂが装着されている。なお上端２ａには、フック（不図示）を装着してもよい。
【００３１】
ごみ収納袋３は、透明、半透明又は不透明な軟質樹脂材例えば、ポリエチレン又はポリプロピレン製で市販されている各種サイズの平袋又はスーパーマーケット、デパート又は各種商店等で商品購入と共に受け取る包装用袋を利用することもできる。
【００３２】
浮揚気体注入弁４のガス注入部４ａは、図３に示すように、外皮膜１ｃの周縁上面部の一端に装着され、注入口４ｂの上部には逆止弁４ｃが配設され、該逆止弁４ｃは、スプリング４ｄによりボンベ５の挿入口方向に付勢されている。ボンベ５内には圧縮されたヘリウムガス１ａが貯留されており、浮揚体１の浮揚力を調整しながら適宜、収容空間１ｂに注入される。
【００３３】
高さ調整具６は、硬質樹脂材例えば、アクリル樹脂等からなる長楕円形の薄板で、少なくとも係留紐体７を挿通可能な貫通孔６ａ、６ｂ、６ｃが穿設されており、係留紐体７の長さ調整（浮揚体１の吊設位置（高さ）調整）は、高さ調整具６の貫通孔６ａ、６ｂ、６ｃを介して行われる。
【００３４】
浮揚体係留具８は、硬質樹脂材又は鉄製からなる円形状の重錘で、浮揚体１の係留を目的として使用されるもので、その上面中心部には挿通孔８ａを穿設した係止部８ｂが立設されている。  
【００３５】
つぎに本発明に係る、浮揚体付きごみ容器ＧＢの組み立てと使用態様について説明する。まず係留紐体７の上方部７ａを外皮膜１ｃの側面部に装着した係止用ループ１ｓに緊縛し、下端部７ｂを浮揚体係留具８の挿通孔８ａに挿通し、高さ調整具６の貫通孔６ａ、６ｂ、６ｃに順次、挿通させて仮止めしておき、つぎに掛吊用紐体２、２…の上端２ａ…をそれぞれの係止孔１ｅ〜１ｑに挿通し、クリップ２ｂ…までの長さがほぼ同じになるように結縛し、各クリップ２ｂ…を介してごみ収納袋３の開口周縁部３ａを掴持する。
【００３６】
続いて、ヘリウムガス１ａを貯留したボンベ５の先端５ａを浮揚気体注入弁４に挿着し、該先端５ａを逆止弁４ｃに抗して圧入すれば、ヘリウムガス１ａは注気孔４ｄを経て浮揚体１の収容空間１ｂに注入され、外皮膜１ｃは膨張して環状の浮揚体１を形成すると共に、外皮膜１ｃの底部に係止された各掛吊用紐体２、２…と係留紐体７を吊り上げながら徐々にごみ収納袋３は空中に浮揚する。ごみ収納袋３が所望の高さに吊設されたとき、ボンベ５を浮揚気体注入弁４から脱離させて、ヘリウムガス１ａの供給を停止し、係留紐体７の長さ（高さ）は高さ調整具６の貫通孔６ａ、６ｂ、６ｃを介して調整し、浮揚体１及びごみ収納袋３の浮揚と係留作業は終了する。
【００３７】
図４は掛吊用紐体２、２…と掛止部１ｆ〜１ｒの長さを短くした状態を示し、
ごみ収納袋３に投棄する塵芥Ｄは、図２及び図４の矢印で示すように、浮揚体１の投入口１ｄ又はごみ収納袋３の開口部３ａから投入され、投入された塵芥Ｄが、ごみ収納袋３の約７０％〜８０％になったら、各クリップ２ｂ…をごみ収納袋３から脱離し、ごみ収納袋３の上方を収斂して結縛し、所定のゴミ集積所等に搬入する。
【００３８】
本発明に係る、浮揚体付きごみ容器ＧＢに使用される浮揚体１０、２０の形態は、図５及び図６に示す平面視、長楕円形又は矩形の他、図示しないが方形、三角形、多角形、星形、ハート形等のなかから、屋内、屋外の設置場所に適合する形状の浮揚体を選択することができ、図５に示すように、浮揚体１０の底部に設けられる掛止部１０ａと１０ｂ、１０ｃと１０ｄ、１０ｅと１０ｆ及び図６に示す浮揚体２０の底部に設けられる掛止部２０ａと２０ｂ、２０ｃと２０ｄ、２０ｅと２０ｆは、浮揚体１０又は２０は浮揚したとき、水平姿勢を保持するために互いに対向部位に配設される。  
【図面の簡単な説明】
【００３９】
【図１】は本発明に係る、浮揚体付きごみ容器ＧＢの主な構成部材を説明する分解斜視図である。
【図２】は同、組み立て使用状態を示す一部切欠正面図である。
【図３】は図２におけるＡ部の拡大断面図である。
【図４】は他の実施形態を説明する一部切欠正面図である。
【図５】は浮揚体の他の形状を示す平面図である。
【図６】は浮揚体の他の形状を示す平面図である。
【符号の説明】
【００４０】
ＧＢ                                  浮揚体付きごみ容器
１                                    浮揚体
２                                    掛吊用紐体
３                                    ごみ収納袋
４                                    浮揚気体注入弁
５                                    ボンベ
６                                    高さ調整具
７                                    係留紐体
８                                    浮揚体係留具
１ａ                                  ヘリウムガス
１ｂ                                  収容空間
１ｃ                                  外皮膜
１ｄ                                  投入口
１ｅ、１ｇ、１ｉ、１ｋ、１ｎ、１ｑ    係止孔
１ｆ、１ｈ、１ｊ、１ｍ、１ｐ、１ｒ    掛止部
１ｓ                                  係止用ループ
１ｔ                                  キャッチコピー
４ｃ                                  逆止弁
６ａ、６ｂ、６ｃ                      貫通孔